(57)【要約】【課題】前方視界を阻害することなく、車両前方から視認し易い部分にシートベルトの未装着状態を表示することができる車両の表示装置の提供を図る。【解決手段】車両１のフロントウインドウパネル２の上縁中央部の所要エリアＡに対応した位置に車両前方から視認容易な表示器１０を配置し、ベルト装着検出手段によってシートベルトの装着または未装着を検出し、イグニッションスイッチが投入された状態でシートベルトの未装着時には、ベルト未装着表示手段により表示器１０を表示することにより、車両前方からベルト未装着が容易に確認されることにより、シートベルトを着用することに対して強い意識を持つことが期待されるとともに、車室内からの前方視界が阻害されるのを抑制する。【選択図】      図１
2004182046.tif 000002
【特許請求の範囲】
【請求項１】
車両のフロントウインドウパネルの上縁中央部の所要エリアに対応した位置に配置され、車両前方から視認容易な表示器と、
シートベルトの装着または未装着を検出するベルト装着検出手段と、
イグニッションスイッチが投入された状態でシートベルトの未装着時には、前記ベルト装着検出手段の検出作用に基づいて前記表示器を表示するベルト未装着表示手段と、を備えたことを特徴とする車両の表示装置。
【請求項２】
表示器を配置する所要エリアの少なくとも一部は、車室内前方の中央部上方に設けたインサイドミラーの前方投影面と重なる領域であることを特徴とする請求項１に記載の車両の表示装置。
【請求項３】
表示器は、光学的表示手段であり、この光学的表示手段をインサイドミラーの前面に設けたことを特徴とする請求項１または２に記載の車両の表示装置。
【請求項４】
表示器は、光学的表示手段であり、この光学的表示手段をフロントウインドウパネルに貼着したことを特徴とする請求項１または２に記載の車両の表示装置。
【請求項５】
表示器は、光源体の照射光を受光して結像する結像体であり、この結像体をフロントウインドウパネルに設けたことを特徴とする請求項１または２に記載の車両の表示装置。
【請求項６】
光源体は、インストルメントパネルの内部に収納し、このインストルメントパネルの上面に形成した開口部から前記結像体に向かって照射することを特徴とする請求項５に記載の車両の表示装置。
【請求項７】
結像体は、光源体の照射光を乱反射する半透明の反射シートであることを特徴とする請求項５または６に記載の車両の表示装置。
【発明の詳細な説明】
【０００１】
【発明の属する技術分野】
本発明は、シートベルトの装着を促すようにした車両の表示装置に関する。
【０００２】
【従来の技術】
従来では運転者がシートベルトを未装着である場合に、インストルメントパネルに設けた警告灯によって注意を促すのが一般的であるが、この警告灯が確認し辛いこともあって、シートベルト装着への注意力が低下するおそれがある。
【０００３】
そこで、外部からも視認し易い場所（ダッシュボードの上やルーフの上等）に表示器を新たに設け、シートベルトの未装着時にその表示器によって表示させるようにしたシートベルト着脱確認装置が提案されている（例えば、特許文献１参照。）。
【０００４】
従って、このシートベルト着脱確認装置では、シートベルトを装着しないで走行した場合には、表示器によって車外の人々にベルト未装着であることを告知することになるため、運転者は積極的にシートベルトの着用を意識することになる。
【０００５】
【特許文献１】
特開平１０−２３６２７９号公報（第３頁、第１図）
【０００６】
【発明が解決しようとする課題】
しかしながら、かかる従来のシートベルト着脱確認装置は、表示器を新たに設ける必要があることから必然的にコスト増が伴うとともに、配線作業が複雑となって取付け作業が困難になり、かつ、ダッシュボード上に表示器を取付けた場合には前方視界が阻害されてしまう。
【０００７】
そこで、本発明は前方視界を阻害することなく、車両前方から視認し易い部分にシートベルトの未装着状態を表示することができる車両の表示装置を提供するものである。
【０００８】
【課題を解決するための手段】
本発明の車両の表示装置にあっては、車両のフロントウインドパネルの上縁中央部の所要エリアに対応した位置に配置され、車両前方から視認容易な表示器と、
シートベルトの装着または未装着を検出するベルト装着検出手段と、
イグニッションスイッチが投入された状態でシートベルトの未装着時には、前記ベルト装着検出手段の検出作用に基づいて前記表示器を表示するベルト未装着表示手段と、を備えたことを特徴としている。
【０００９】
【発明の効果】
本発明によれば、乗員がシートベルトを未装着の状態で車両を走行した場合には、フロントウインドウパネルの上縁中央部の所要エリアに対応した位置に配置した表示器によって表示されるため、車両前方から容易にその車両の乗員がベルト未装着状態でいることが容易に確認されることになり、その車両の乗員はシートベルトを着用することに対して強い意識を持つことが期待され、ひいては、シートベルトの着用率の向上にも繋がる。
【００１０】
また、前記表示器はフロントウインドウパネルの上縁中央部の所要エリアに対応した位置に配置したことにより、車室内からの前方視界が阻害されるのを抑制することができる。
【００１１】
【発明の実施の形態】
以下、本発明の実施形態を図面と共に詳述する。
【００１２】
図１〜図５は本発明にかかる車両の表示装置の第１実施形態を示し、図１は表示器を設けた車体前部を示す斜視図、図２は前面に表示器を設けたインサイドミラーの正面図、図３は前面に表示器を設けたインサイドミラーの断面図、図４はベルト装着検出手段を組み込んだシートベルトのタングおよびバックルの斜視図、図５はベルト未装着表示手段の回路図である。
【００１３】
この第１実施形態の車両の表示装置は、視認容易な表示器として光学的表示手段を用い、図１〜図５に示すように車両１のフロントウインドウパネル２の上縁中央部の所要エリアＡを仮想し、この所要エリアＡに対応した位置に配置され、車両前方から視認容易な光学的表示手段としての液晶パネル１０（図１〜図３参照）と、シートベルト３の装着または未装着を検出するベルト装着検出手段としてのバックルスイッチ４（図４参照）と、イグニッションスイッチ５が投入された状態でシートベルト４の未装着時には、前記バックルスイッチ４の検出作用に基づいて前記液晶パネル１０を表示するベルト未装着表示手段としての表示指令回路６（図５参照）と、によって構成してある。
【００１４】
前記液晶パネル１０を配置する所要エリアＡは、車室内前方の中央部上方に設けたインサイドミラー７の前方投影面Ｃの領域としてあり、この第１実施形態では液晶パネル１０をインサイドミラー７の前面（裏面）に設けている。
【００１５】
即ち、インサイドミラー７は運転者が後方を確認するために設けてあり、図３に示すように後面（表面）にミラー７ａを装着した本体部分７ｂを、ステー７ｃを介して図外のルーフ前縁補強部やフロントウインドウパネル２の上部に結合するようになっている。
【００１６】
そして、前記本体部分７ｂの前面に凹部を設ける等して前記液晶パネル１０を嵌め込み固定し、この液晶パネル１０の表示面を前方に配置し、また、液晶パネル１０に接続するハーネス１１はステー７ｃ内に配索して表面に露出しないようにしてある。
【００１７】
バックルスイッチ４は、図４に示すようにタング３ａをバックル３ｂから離脱したシートベルト３の未装着状態ではオン作動する一方、タング３ａをバックル３ｂに挿入・係着したシートベルト３の装着状態ではオフ作動するようになっている。
【００１８】
表示指令回路６は、図５に示すようにバックルスイッチ４とイグニッションスイッチ５を直列に配置してバッテリ８に接続してあり、シートベルト３の未装着状態でイグニッションを投入した場合には、バックルスイッチ４およびイグニッションスイッチ５が共に閉となって、液晶パネル１０に電流を印加して発光表示するようになっている。
【００１９】
このときの液晶パネル１０の表示は、所望の色調をもって発光させ、または、所望の文字や記号によって表示することができる。
【００２０】
以上の構成により本実施形態の車両の表示装置にあっては、運転者がシートベルト３を未装着の状態で車両を走行した場合には、インサイドミラー７の前面に設けた液晶パネル１０が発光表示されるため、車両前方から容易にその車両の運転者がベルト未装着状態でいることを視認することができる。
【００２１】
このため、その車両の運転者は強く意識してシートベルトを装着するように心掛けることが期待され、ひいては、シートベルトの装着率の向上にも繋がる。
【００２２】
また、前記インサイドミラー７はフロントウインドウパネル２の上縁中央部の前方視界の邪魔にならない所要エリアＡに対応した位置に配置され、この所要エリアＡに前記液晶パネル１０が配置されるため、車室内からの前方視界には些かも影響をおよぼすことはない。
【００２３】
特に、この第１実施形態では前記所要エリアＡは、インサイドミラー７の前方投影面Ｃと重なる領域としたことにより、運転者から見て液晶パネル１０をインサイドミラー７によって完全に隠すことができるため、液晶パネル１０が視界の支障となったり、目障りとなることが全く無い。
【００２４】
また、液晶パネル１０をインサイドミラー７の前面（裏面）に設けたことにより、車両前方からの視認性を向上しつつ、フロントウインドウパネル２に液晶パネル１０が装着されることが無いため前方視界に全く影響しないとともに、フロントウインドウパネルから突出部を無くして清掃性を向上することができる。
【００２５】
ところで、この第１実施形態の車両の表示装置では、表示器として光学的表示手段である液晶パネル１０を用いたことにより薄肉化を達成でき、表示器自体による視界障害を抑制できる。
【００２６】
また、このように表示器は液晶パネル１０に限ることなく、他の光学的表示手段、例えばＬＥＤや通常のランプを用いてもよく、更には、光学的表示手段以外にも動きによりベルト未装着を表示する可動機構であってもよい。
【００２７】
図６は本発明の第２実施形態を示し、前記第１実施形態と同一構成部分に同一符号を付して重複する説明を省略して述べる。
【００２８】
図６は車体のフロントウインドウパネル部分示す断面図であり、この第２実施形態の車両の表示装置では、第１実施形態と同様に表示器として液晶パネル１０ａを用い、この液晶パネル１０ａをフロントウインドウパネル２の内面に、接着剤や両面テープを用いて貼着している。
【００２９】
勿論、この実施形態にあっても前記液晶パネル１０ａは、インサイドミラー７の前方投影面Ｃと重なる領域となる所要エリアＡに配置してある。
【００３０】
また、この第２実施形態にあっても、ベルト装着検出手段としてのバックルスイッチおよびベルト未装着表示手段としての表示指令回路が設けられており、これらバックルスイッチおよび表示指令回路は第１実施形態の図４および図５と同様の構成としてある。
【００３１】
従って、この第２実施形態の車両の表示装置にあっては、第１実施形態と同様の作用・効果を奏することは勿論のこと、液晶パネル１０ａを後付けにより設置できるため、バックルスイッチやイグニッションスイッチへの配線を行うことにより各種車両に本発明の表示装置を適用することができる。
【００３２】
勿論、この第２実施形態にあっても表示器は液晶パネル１０ａに限ることなく、他の光学的表示手段を用いることができる。
【００３３】
図７は本発明の第３実施形態を示し、前記各実施形態と同一構成部分に同一符号を付して重複する説明を省略して述べる。
【００３４】
図７はインストルメントパネルまわりの断面図を示し、この第３実施形態の車両の表示装置では、光源体としてのランプ１２の照射光を表示器としての反射シート１０ｂで受光して、この反射シート１０ｂを結像体として前記照射光を結像するようになっている。
【００３５】
この第３実施形態にあっても前記反射シート１０ｂは、インサイドミラー７の前方投影面と重なる領域となる所要エリアＡに貼着してある。
【００３６】
前記ランプ１２は、インストルメントパネル９の内部に収納し、このインストルメントパネル９の上面９ａに形成した開口部９ｂから前記反射シート１０ｂに向かって照射するようになっている。
【００３７】
反射シート１０ｂは、ランプ１２の照射光を受光して乱反射する半透明シートとして形成し、この反射シート１０ｂをフロントウインドウパネル２の内面に透明接着層を介して貼着してある。
【００３８】
尚、反射シート１０ｂをインサイドミラー７の前方投影面に配置した関係上、ランプ１２および開口部９ｂをインストルメントパネル９の車幅方向中央部に形成する。
【００３９】
また、この第３実施形態にあっても、ベルト装着検出手段としてのバックルスイッチおよびベルト未装着表示手段としての表示指令回路が設けられるようになっており、これらバックルスイッチおよび表示支持回路は第１実施形態の図４および図５と同様の構成としてある。
【００４０】
従って、この第３実施形態の車両の表示装置にあっては、第１実施形態と同様にシートベルトを未装着でイグニッションスイッチを投入した時にランプ１２が点灯して、これの照射光を反射シート１０ｂで受光して結像することにより、この結像を車両前方から容易に視認でき、第１実施形態と同様の作用・効果を奏する。
【００４１】
特に、この第３実施形態では表示器としての反射シート１０ｂは、ランプ１２の照射光を受光するのみで結像するため配線が不要となり、フロントウインドウパネル２から視界障害となる配線を無くすことができる。
【００４２】
また、この第３実施形態では結像体として反射シート１０ｂを用いて平面的に結像させるようにしたが、これ以外にも反射シート１０ｂに代えてホログラムシートを用いて３次元的に表現させてもよく、また、光源体としてはランプ１２に代えてレーザー照射器を用いることもできる。
【００４３】
ところで、本発明の車両の表示装置は第１〜第３実施形態に例をとって説明したが、これら実施形態に限ることなく本発明の要旨を逸脱しない範囲で他の実施形態を各種採ることができ、例えば、本発明の表示装置は運転席のみならず助手席にも設けることができる。
【図面の簡単な説明】
【図１】本発明の第１実施形態における表示器を設けた車体前部を示す斜視図。
【図２】本発明の第１実施形態における前面に表示器を設けたインサイドミラーの正面図。
【図３】本発明の第１実施形態における前面に表示器を設けたインサイドミラーの断面図。
【図４】本発明の第１実施形態におけるベルト装着検出手段を組み込んだシートベルトのタングおよびバックルの斜視図。
【図５】本発明の第１実施形態におけるベルト未装着表示手段の回路図。
【図６】本発明の第２実施形態における車体のフロントウインドウパネル部分示す断面図。
【図７】本発明の第３実施形態におけるインストルメントパネルまわりの断面図。
【符号の説明】
１  車両
２  フロントウインドウパネル
３  シートベルト
４  バックルスイッチ（ベルト装着検出手段）
５  イグニッションスイッチ
６  表示指令回路（ベルト未装着表示手段）
７  インサイドミラー
９  インストルメントパネル
１０，１０ａ  液晶パネル（表示器としての光学的表示手段）
１０ｂ  反射シート（表示器としての結像体）
１２  ランプ（光源体）
Ａ  所要エリア
Ｃ  インサイドミラーの前方投影面
【図１】
2004182046.tif 000003
【図２】
2004182046.tif 000004
【図３】
2004182046.tif 000005
【図４】
2004182046.tif 000006
【図５】
2004182046.tif 000007
【図６】
2004182046.tif 000008
【図７】
2004182046.tif 000009